(57)【特許請求の範囲】
【請求項１】
本体を一対のケースで構成し、該両ケースにはそれぞれ一平面からなる接合面を設け、磁石の磁力を利用して前記接合面同士を接合させることで、両ケースを一体化した状態に保持するとともに、その磁力に抗して前記両ケースを非引き抜き方式で分割可能とし、本体を分割するとその本体に内蔵されたブザーが鳴動するように構成したことを特徴とする防犯ブザー。
【請求項２】
本体を一対のケースに非引き抜き方式で分割可能とし、磁石の磁力を利用して両ケースを一体化した状態に保持し、本体を分割するとその本体に内蔵されたブザーが鳴動するように構成した防犯ブザーを備え、
前記ケースごとに設けられた接続部間にブレスレット本体を設け、前記防犯ブザーを含む全体として環状をなすことを特徴とするブレスレット。
【請求項３】
本体を一対のケースで構成し、該両ケースにはそれぞれ一平面からなる接合面を設け、磁石の磁力を利用して前記接合面同士を接合させることで、両ケースを一体化した状態に保持するとともに、その磁力に抗して前記両ケースを非引き抜き方式で分割可能とし、本体を分割するとその本体に内蔵されたブザーが鳴動するように構成した防犯ブザーを備え、
前記ケースごとに設けられた接続部間にブレスレット本体を設け、前記防犯ブザーを含む全体として環状をなすことを特徴とするブレスレット。
【発明の詳細な説明】
【技術分野】
【０００１】
本発明は、防犯ブザー及びそれを備えたブレスレットに関するものである。
【背景技術】
【０００２】
犯罪による被害から身を守るための防犯具として、従来から、携帯可能な防犯ブザーの存在が知られている。
【０００３】
図６にはその従来の防犯ブザー４１を示す。この防犯ブザー４１は内部に電池やブザーを備えた本体４２と、その本体４２に設けられた孔４３に対し挿入・引き抜きが可能なピン４４とを備えている。ピン４４には紐４５が設けられている。そして、防犯ブザー４１は図示したようにピン４４が孔４３から引き抜かれた状態で本体４２に内蔵されたブザーが鳴動し、ピン４４が孔４３に挿入されている状態でブザーが鳴動しないように構成されている。このため、通常時はピン４４を挿入した状態で防犯ブザー４１を携帯し、緊急時には紐４５を引っ張ってピン４４を引き抜くことにより、ブザーを鳴動させる。これにより、周囲に自己の危険を知らせたり、犯人を威嚇したりすることができる（特許文献１参照）。
【０００４】
しかしながら、かかる従来のブザー４１では、ブザーを鳴動させるのに必要なピン４４の引き抜きにつき、ピン４４の引き抜き方向は一方向に特定されている（図６の矢印の方向）。また、ピン４４を引き抜くにはピン４４の長さに相当する操作範囲の確保が必要となる。さらに、ピン４４を引き抜くには片手で本体４２を持ち、もう一方の手で紐４５を引っ張る必要があるため、両手を使わなければならない。このように、従来の防犯ブザー４１は限定された操作でしかブザーを鳴動させることができない。緊急時にはピン４４の引き抜き方向に沿って紐４５を引っ張る状況や、操作範囲を確保できない状況もあるため、緊急時の混乱した状況下ではピン４４を引き抜きづらく、ブザーを鳴動させることができないという問題があった。
【０００５】
また、いつ犯罪に遭遇するのかを予測することはできない以上、緊急時でもブザーを鳴動させることができるよう、常に紐４５に手をかけておくことが必要となる。しかしながら、面倒であったりつい忘れてしまったりするため、実生活においてそれを実践することは難しい。そこで、紐４５を利用して防犯ブザー４１を首から下げておくことも考えられるが、ネックレス等のような装飾性をもたないため、常にそれを実践することも期待できない。そうかといって、カバン等に防犯ブザー４１を入れたままの状態では、いざというときにカバンから防犯ブザー４１を取り出すことができず、防犯ブザー４１が全く役に立たない場合もあるという問題がある。
【特許文献１】特開２００１−２７５７３２号公報
【発明の開示】
【発明が解決しようとする課題】
【０００６】
本発明は、緊急時でも確実にブザーを鳴動させることのできる防犯ブザー及びそれを備えたブレスレットを提供することを目的とするものである。
【課題を解決するための手段】
【０００７】
以下、上記課題を解決するのに有効な手段等につき、必要に応じて効果等を示しつつ説明する。なお以下では、理解を容易にするため、発明の実施の形態において対応する構成を括弧書き等で適宜示すが、この括弧書き等で示した具体的構成に限定されるものではない。
【０００８】
手段１．本体を一対のケース（第１ケース４及び第２ケース５）に非引き抜き方式で分割可能とし、磁石の磁力を利用して両ケースを一体化した状態に保持し、本体を分割するとその本体に内蔵されたブザーが鳴動するように構成したことを特徴とする防犯ブザー。
【０００９】
この構成によれば、例えば本体を折るようにして分割するなど、非引き抜き方式によって本体は一対のケースに分割される。このような非引き抜き方式による本体の分割操作は、一方向への引き抜き操作といったように一つの操作方法に限定されないし、特定の操作範囲を確保する必要もない。そして、その本体を分割することによりブザーが鳴動する。このため、ブザーを鳴動させるための操作の幅を広げることができる。従って、ブザーを鳴動させる操作が一方向へピンを引き抜く操作に特定されていた従来の防犯ブザーとは異なり、操作の幅が広がって緊急時の混乱した状況下でも確実にブザーを鳴動させることができる。
【００１０】
手段２．前記両ケースにはそれぞれ一平面からなる接合面を設け、その接合面同士を接合させることで両ケースを一体化した状態に保持したことを特徴とする手段１に記載の防犯ブザー。
【００１１】
かかる保持構成によれば、一平面同士の接合という単純な構成によって両ケースが一体化された状態に保持されることから、本体の分割も容易に行なうことができる。
【００１２】
なお、以上の防犯ブザーは、より詳しくは次のように構成することが考えられる。
【００１３】
すなわち、磁石の磁力のみで前記両ケースを一体化した状態に保持する構成とすること。この構成によれば、磁石以外に両ケースを一体化した状態に保持するための構成が不要となり、ケースの保持構成が簡単になる。
【００１４】
前記接合面に前記磁石を設けること。かかる構成によれば、接合する箇所に磁石が設けられていることにより、両ケースが一体化された状態を確実に保持することができる。
【００１５】
一対のケースまたは一方のケースの着脱部（接合部６，７）に、ずれ防止部（接合凹部１２及び接合凸部１４）を設けること。かかる構成によれば、両ケースを適切な位置で保持した状態からずれてしまうのを防止できる。
【００１６】
一方のケース（第１ケース４）にブザーを鳴動させる電気的構成（例えば、電池１６、ブザー１７、スイッチ部１８）を収容すること。この構成により、本体の分割を考慮した電気的構成とする必要がないため、その電気的構成を簡単なものとすることができる。
【００１７】
電気的構成を内蔵した前記一方のケースには、他方のケースの着脱によってブザーへの電源供給を切り替えるスイッチ部（１８）を備え、そのスイッチ部をケースの着脱部（接合部６）付近に設けること。ケースの奥側にスイッチ部を設けた場合には他方のケースの着脱とスイッチ部のオンオフ切り替えとを連繋させるための構成が複雑となる。このため、この構成にようにスイッチ部を着脱部付近に設ければその連繋構成を簡単にできる。
【００１８】
前記各ケースには装着具の接続具に接続可能な接続部（接続リング３、接続部３３）を設けること。この構成によれば、接続部に装着具の接続具を接続することで、防犯ブザーをその装着具と一体化できる。これにより、防犯ブザーを装着具とともに身につけることができる。ここで、装着具とはブレスレット、ネックレス、紐などをいう。例えば、ブレスレットであれば、もともと自己が所有していた好みのものに防犯ブザーを接続することができ、またブレスレットは装飾性にも優れていることから、防犯ブザーを手首に着け、常時携帯した状態とすることを使用者に期待できる。
【００１９】
手段３．手段１または２に記載の防犯ブザーを備えるとともに、ケースごとに設けられた接続部間にブレスレット本体を設け、前記防犯ブザーを含む全体として環状をなすことを特徴とするブレスレット。
【００２０】
ブレスレットは、ネックレスと異なり、ブレスレット本体の遊び部分が少ない。このため、積極的にブレスレット本体を引っ張らなくても、例えば犯人に抵抗してその犯人とのもみ合ったときなど、手や腕の動きに伴って消極的にブレスレット本体に加わった引っ張り力も接続部（接続リング３）を介して防犯ブザーに伝わる。そして、前述したように、本体を分割する方法は一つに限定されず、任意の方向への引っ張り力でも本体は分割される。従って、そのようなもみ合い等から生じる外力も本体を分割させる力として作用し、それによってブザーを鳴動させることができる。また、ブレスレットの一部として手首に装着されているため、ブレスレット本体を片手で引っ張るだけで本体を分割し、ブザーを鳴動させることができる。さらに、ブレスレット本体は装飾性にも優れていることから、防犯ブザーを手首に着け、常時携帯した状態とすることを使用者に期待できる。
【００２１】
なお、消極的にブレスレット本体に加わった引っ張り力を防犯ブザーにより伝えやすくするには、ブレスレット本体は非伸縮性の素材によって構成されていることが好ましい。
【発明を実施するための最良の形態】
【００２２】
以下、防犯ブザーの一実施の形態を、図面に基づいて詳細に説明する。図１は防犯ブザーの正面図であり、（ａ）は通常時の状態、（ｂ）は本体が分割された状態を示し、図２，３は防犯ブザーの電気的構成を示すブロック図である。
【００２３】
図１（ａ）に示すように、防犯ブザー１は細長い楕円球形状をなす本体２を備えている。本体２の両端には接続リング３が設けられ、その接続リング３にはブレスレット本体や紐などを設けることが可能となっている。なお、本体２の形状は楕円球形状に限定されるものではなく、略球形状や角柱形状、その他任意の形状を採用することができる。
【００２４】
図１（ｂ）に示すように、前記本体２はその長手方向の途中、すなわち接続リング３の設けられた端部と端部の間で２つに分割可能に構成されている。その一方を第１ケース４、他方を第２ケース５とする。本実施形態では、第１ケース４が第２ケース５よりも大きく形成されている。この大きさの異なる第１ケース４と第２ケース５とを本体２を分割した箇所で接合することで両ケース４，５は一体化され、本体２が構成されている。
【００２５】
本体２を分割した箇所を、ケース４，５の側からみると、それぞれが接合部６，７とされている。第１ケース４の接合部６は一平面からなる接合面１１と、その接合面１１に設けられた接合凹部１２とで構成されている。他方、第２ケース５の接合部７は一平面からなる接合面１３と、その接合面１３に前記接合凹部１２に対応して設けられた接合凸部１４とで構成されている。両ケース４，５の接合面１１，１３は、両ケース４，５を一体化したときにその長手方向と直交する面であり、それぞれ磁石１５が設けられている。磁石１５は、適度な接合力を得るために、接合面１１，１３に沿った環状のものを設けるか、複数を接合面１１，１３に沿って全体的に配置することが好ましい。なお、その個数は特に限定されない。そして、前記接合凹部１２に前記接合凸部１４を収容しながら、磁石１５を設けた接合面１１，１３同士を接合させると、その磁石１５の磁力によって第１ケース４と第２ケース５は接合される。このように接合凸部１４が接合凹部１２に収容されることで、両ケース４，５の接合時には適切な位置での接合が促され、接合された状態においてはその適切な位置からのずれが防止される。従って、接合凹部１２及び接合凸部１４によってずれ防止部として機能する。
【００２６】
なお、後述するように、本実施形態の防犯ブザー１は本体２が分割されるとブザー１７が鳴動するように構成されているが、その分割は例えば本体２を折るようにするなど、非引き抜き方式で行なわれることを特徴の一つとする。この点、前記接合凹部１２の深さと前記接合凸部１４の厚みを大きくすると、本体２を分割するには接合凹部１２から接合凸部１４を引き抜かなければならなくなり、前記特徴を得られない。このため、接合凹部１２と接合凸部１４は、非引き抜き方式での本体２の分割を阻害するものではない。
【００２７】
前記第１ケース４には、電池１６、ブザー１７及びスイッチ部１８などが収容され、後述するような回路を構成している。このうちスイッチ部１８は接合部６側（以下、先端側という。）に設けられ、電池１６やブザー１７はその奥に収容されている。図示しないものの、第１ケース４には電池１６を取り替えるための構成が設けられている。その一例として、接合部６と反対側（以下、基端側という。）の接続リング３を設けた端部をネジ式で着脱可能に構成し、その端部を外すことで電池１６を取り替えるような構成が考えられる。
【００２８】
図２，３に示すように、前記スイッチ部１８は、防犯ブザー１の本体２に固定されるスイッチ本体２１を備えている。スイッチ本体２１は非導電性材料により形成され、接合部６側の端面２１ａは接合凹部１２を形成する底面を構成している。
【００２９】
スイッチ本体２１には本体２の長手方向に沿って内部を貫通する貫通孔２２が設けられている。貫通孔２２の長手方向中間部は他の部分よりも横断面積が大きく形成され、これによりスイッチ本体２１の内部には内部空間２３が形成されている。この内部空間２３を形成する内面のうち、先端側の内面には一対の接点２４，２５がそれぞれ離間した状態で、かつ内面に露出した状態で設けられている。両接点２４，２５は導電性材料により板状に形成されており、一端がスイッチ本体２１の外周部に露出するように設けられている。そして、第１接点２４が電池１６の一方の電極と接続される。電池１６の他方の電極はブザー１７の一方の端子と接続され、ブザー１７の他方の端子は第２接点２５と接続される。そして、第１接点２４と第２接点２５が接続されると、電池１６とブザー１７は閉回路を構成してブザー１７が鳴動するように構成されている。
【００３０】
前記貫通孔２２にはその貫通孔２２内のほぼ全体を占める長さを有するロッド２６が挿入されている。ロッド２６は非導電性材料により形成されているが、その外周部には前記内部空間２３内において接続用接点２７が設けられている。接続用接点２７は導電性材料によって形成された板状をなし、ロッド２６の外周全体にわたって設けられている。そして、内部空間２３を形成する基端側の内面と、接続用接点２７との間にはコイルバネ２８が設けられている。これにより、ロッド２６は先端側に付勢され、図３に示すように接続用接点２７が第１接点２４及び第２接点２５に押し付けられるとともに、スイッチ本体２１の先端面２１ａからロッド２６の先端部が突出した状態となる。他方、ロッド２６の先端部にコイルバネ２８の付勢力に勝る基端側への力が作用すると、図２に示すように、接続用接点２７と第１接点２４及び第２接点２５とが離間するとともに、ロッド２６の先端部はスイッチ本体２１に収容された状態となる。
【００３１】
ここで、前述したように、スイッチ部１８は第１ケース４の先端側に設けられ、スイッチ本体２１の先端面２１ａは接合凹部１２を形成する底面を構成している。このため、第２ケース５が第１ケース４に接合され本体２を構成している状態では、接合凹部１２に収容された第２ケース５の接合凸部１４によってスイッチ部１８のロッド２６が基端側に押される。これにより、図２に示すように、ロッド２６の先端部はスイッチ本体２１に収容されるとともに、接続用接点２７と第１接点２４及び第２接点２５とは非接触の状態となる。なお、両ケース４，５を接合状態に保持する前記磁石１５は、その磁力がコイルバネ２８の付勢力に勝るものが用いられている。他方、本体２が分割され、第２ケース５が第１ケース４から分離されている状態では、接合凸部１４による押し付けがなくなり、図３に示すように、ロッド２６の先端部がスイッチ本体２１から突出するとともに、接続用接点２７が第１接点２４および第２接点２５と接触する。
【００３２】
次に、上記の通り構成された防犯ブザー１の動作について説明する。
【００３３】
本実施形態の防犯ブザー１は、通常、第１ケース４と第２ケース５を接合し、本体２を構成した状態で利用される。この状態では、前述したように、第２ケース５の接合凸部１４によってスイッチ部２１のロッド２６が基端側に押し付けられ、接続用接点２７と第１接点２４および第２接点２５とが非接触の状態となる。このため、ブザー１７に電源は供給されず、鳴動しない。
【００３４】
そして、暴漢等に襲われるなど犯罪に遭遇した緊急時において、防犯ブザー１の所持者は、本体２を第１ケース４と第２ケース５とに分割する。これにより、スイッチ部１８のロッド２６に対する接合凸部１４の押し付けがなくなって、接続用接点２７が第１接点２４および第２接点２５と接触する。このため、電池１６とブザー１７は閉回路を構成し、ブザー１７が鳴動する。かかるブザー１７の鳴動によって、所持者は周囲に自己の危険を知らせたり、犯人を威嚇したりすることができる。
【００３５】
ここで、本実施形態において、第１ケース４と第２ケース５はその接合面１１，１３同士が合わさって一体化され、本体２を構成している。接合面１１，１３には接合凹部１２と接合凸部１４が形成されているが、これはずれ防止という役割を担うに過ぎない。かかる構成は、非引き抜き方式での本体２の分割を可能とする。そして、前記接合面１１，１３に設けられた磁石１５の磁力のみで両ケース４，５が一体化された状態が保持されている。このため、ブザー１７を鳴動させるべく本体２を分割する操作としては、接合部６，７の任意の位置を支点として本体２を折るように分割するなどの手法が可能となり、一つの操作方法に限定されないし、特定の操作範囲を確保する必要もない。従って、ブザー１７を鳴動させるための操作の幅が広がり、緊急時の混乱した状況下でも確実にブザー１７を鳴動させることができ、いざというときに使い勝手のよい防犯ブザーが得られる。
【００３６】
次に、この防犯ブザー１を備えたブレスレット３１について説明する。
【００３７】
図４に示すように、ブレスレット３１は防犯ブザー１の本体２の両端部に設けられた接続リング３にブレスレット本体３２を設けることで構成されている。この場合、ブレスレット本体３２の素材は限定されないが、ゴム等の伸縮性素材ではない方が好ましい。なお、図４においては、ブレスレット本体３２の装飾や手首に着ける際の接続具等は省略されている。
【００３８】
かかるブレスレット３１を手首に着けた場合には、緊急時においてブレスレット本体３２を引っ張ると、前記接続リング３は第１ケース４および第２ケース５それぞれに設けられていることから、本体２が第１ケース４と第２ケース５に分割され、ブザー１７を鳴動させることができる。そして、前述したように、本体２を分割する操作は一つに限定されないし、特定の操作範囲を確保する必要もない。このため、ブレスレット本体３２を任意の方向に引っ張ることで本体２を分割し、ブザー１７を鳴動させることができる。しかも、手首に装着した状態であることから、本体２の分割は片手でブレスレット本体３２を引っ張るだけで済む。このため、緊急時の混乱した状況下でも確実にブザー１７を鳴動させることができる。
【００３９】
さらに、ブレスレット３１は、首から下げるネックレスと異なり、ブレスレット本体３２の遊び部分は少ない。このため、積極的にブレスレット本体３２を引っ張らなくても、例えば犯人に抵抗してその犯人ともみ合ったときなどに、手や腕の動きに伴って消極的にブレスレット本体３２に加わった引っ張り力も防犯ブザー４１に伝わる。そして、前述したように、任意の方向への引っ張り力でも本体２は分割される。従って、そのようなもみ合い等から生じる外力によっても、本体２は確実に分割され、ブザー１７を鳴動させることができる。
【００４０】
しかも、ブレスレット本体３２は装飾性にも優れていることから、防犯ブザー１を手首に着け、常時携帯した状態とすることを使用者に期待できる。このため、使用者が従来のようにカバン等に防犯ブザー１を入れたままにしておくといった状態を防止できる。
【００４１】
なお、実施の形態は上記した内容に限定されず、例えば次のように実施してもよい。
【００４２】
（ａ）上記実施の形態では、磁石１５の磁力のみを利用して第１ケース４と第２ケース５を接合するように構成したが、磁石１５以外の接合手段をさらに設けてもよい。例えば、一方のケースに設けた係止爪を、他方のケースに設けた係止溝に引っ掛けるような構成を設けることが考えられる。もっとも、かかる接合手段によって本体２の分離を困難にしてブザー鳴動の確実性を損なわないようにする必要がある。
【００４３】
（ｂ）上記実施の形態では、スイッチ部１８の構成としてコイルバネ２８によって付勢されたロッド２６を用いる構成を採用したが、それ以外の構成を採用してもよい。例えば、リードスイッチを設けて、第２ケース５が分離した時にそのリードスイッチが閉じるような構成とすることが考えられる。要は、本体２を分割したときに電池１６とブザー１７を閉回路とする構成を備えたスイッチ部１８であればよい。なお、上記実施の形態で、ロッド２６を付勢する手段は他の種類のバネやゴム等の弾性体であってもよい。
【００４４】
（ｃ）上記実施の形態では、接合部６，７の構成として、接合凹部１２および接合凸部１４を設け、その周囲の接合面１１，１３に磁石１５を配置する構成としたが、これ以外の構成を採用してもよい。例えば、接合凹部１２や接合凸部１４といったずれ防止部を設けず、面一の接合面１１，１３を接合させるだけの構成とすることが考えられる。この構成の場合、本体２を分割する手法としては、接合面１１，１３に沿ってケース４，５の一方または両方をずらして分割するといった手法も可能となる。
【００４５】
また、接合部６，７の別例としては、他にずれ防止部の形状を変更すること（図５には一例として略半球状に形成した接合凸部３４を示す）、接合凹部１２を形成する面や接合凸部１４の表面またはそれらの内部に磁石１５を設けること、接合面１１，１３を、両ケース４，５を一体化したときに本体２の長手方向に対して直交でなく交差する面とするなどの構成も考えられる。
【００４６】
さらに、接合部６，７等、本体２を分割可能な箇所にはシール部材を設けるなどして電気的構成に対する防水対策を施してもよい。これにより、手を洗ったり入浴したりした場合でも、ブレスレット３１を外すことなく身に付けておくことができる。
【００４７】
（ｄ）上記実施の形態では、本体２の両端部に接続リング３を設け、その接続リング３にブレスレット本体３２を設け、防犯ブザー１を備えたブレスレット３１を構成したが、図５に示すように、本来防犯ブザーに設けることを予定していない通常のブレスレットの接続具に接続可能な接続部３３（引き輪等の留め具）を各ケース４，５に設けてもよい。なお、図５に示した接続具３３は一例にすぎない。かかる構成により、防犯ブザー１を備えたブレスレット３１が予め用意されたものに限定されず、好みのブレスレットに防犯ブザー１を取り付けることができる。
【００４８】
また、片方の接続リング３にのみ環状の紐を設けてもよい。この場合、接続リング３は紐が設けられる側のみに設けてもよい。これにより、防犯ブザー１を首から下げることや、紐を手で持ちながら防犯ブザー１をカバンに入れておくといった使用方法も可能となる。このような使用方法であっても、本実施形態の防犯ブザー１は、ブザー１７を鳴動させる操作の幅が広がっている点で、従来の防犯ブザーよりも優れている。
【００４９】
（ｅ）防犯ブザー１の本体２に、学校名、氏名、連絡先等の情報を書き込む箇所を設けてもよい。かかる構成によれば、各情報を書き込んでおくことで、地面に落ちた防犯ブザー１が通行人によって発見されたとき、誰が被害にあったのかをいち早く把握することができる。
【図面の簡単な説明】
【００５０】
【図１】防犯ブザーの正面図。
【図２】防犯ブザーの電気的構成を示したブロック図。
【図３】防犯ブザーの電気的構成を示したブロック図。
【図４】防犯ブザーを備えたブレスレットを示す正面図。
【図５】防犯ブザーの別例を示す正面図。
【図６】従来の防犯ブザーを示す斜視図。
【符号の説明】
【００５１】
１…防犯ブザー、２…本体、４…第１ケース、５…第２ケース、１１…第１ケースの接合面、１３…第２ケースの接合面、１５…磁石、１７…ブザー、３１…ブレスレット、３２…ブレスレット本体。
【要約】
【課題】  緊急時でも確実にブザーを鳴動させることのできる防犯ブザーを得る。
【解決手段】  本体２を第１ケース４及び第２ケース５に非引き抜き方式で分割可能とし、磁石１５の磁力を利用して両ケース４，５を一体化した状態に保持する。そして、本体２を分割するとその本体２に内蔵されたブザーが鳴動するように構成する。この構成によれば、ブザーを鳴動させるべく本体２を分割する操作としては、一方向への引き抜き操作といったように一つの操作方法に限定されないし、特定の操作範囲を確保する必要もない。従って、操作の幅が広がって緊急時の混乱した状況下でも確実にブザーを鳴動させることができる。
【選択図】      図１
【図１】
0003602125.tif 000002
【図２】
0003602125.tif 000003
【図３】
0003602125.tif 000004
【図４】
0003602125.tif 000005
【図５】
0003602125.tif 000006
【図６】
0003602125.tif 000007